(57)【要約】【課題】本発明の解決しようとする課題は、芳香剤や消臭剤の容器のように、中栓の中央部に芯材などの部材を取り付けなければならない場合であっても、中栓を取り外すことなく詰替え操作が可能な新規な構造をもった中栓を備えた容器を提案するものである。【解決手段】容器本体と中栓と外蓋を少なくとも有する容器であって、中栓は容器本体の口部に嵌合するフランジ部と、フランジ部から漏斗状に陥没する壁面と、壁面の中心部に設けられ、内容液を吸い上げる吸い上げ芯を保持する吸い上げ芯固定筒を有し、前記壁面は、複数のスリットを有し、スリットは常時は閉じており、詰替え容器の円筒状の先端が挿入された時は、開くことを特徴とする中栓付容器である。【選択図】図１
2011201582.tif 000002
【特許請求の範囲】
【請求項１】
容器本体と中栓と外蓋を少なくとも有する容器であって、中栓は容器本体の口部に嵌合するフランジ部と、フランジ部から漏斗状に陥没する壁面と、壁面の中心部に設けられ、内容液を吸い上げる吸い上げ芯を保持する吸い上げ芯固定筒を有し、前記壁面は、複数のスリットを有し、スリットは常時は閉じており、詰替え容器の円筒状の先端が挿入された時は、開くことを特徴とする中栓付容器。
【請求項２】
容器本体と中栓と中栓カバーと外蓋を少なくとも有する容器であって、中栓は容器本体の口部に嵌合するフランジ部と、フランジ部から円筒状に陥没する壁面と、壁面の中心部に設けられ、内容液を吸い上げる吸い上げ芯を保持する吸い上げ芯固定筒を有し、前記壁面は、複数の貫通孔を有し、貫通孔は、常時はスリットを有する漏斗状の中栓カバーによって塞がれており、該スリットは、詰替え容器の円筒状の先端が挿入された時は、開くことを特徴とする中栓付容器。
【請求項３】
前記吸い上げ芯固定筒に保持された吸い上げ芯と、吸い上げ芯によって吸い上げられた内容液を空気中に拡散させる拡散パッドと、拡散パッドを保持する化粧蓋を有することを特徴とする請求項１または２に記載の中栓付容器。
【発明の詳細な説明】
【技術分野】
【０００１】
本発明は、中栓付きの容器に関し、特に中栓を装着したままでも詰め替え操作が可能な中栓付容器に関する。
【背景技術】
【０００２】
容器本体と中栓と外蓋からなる容器としては、さまざまな形状、構造の容器が用いられている。特に中栓は容器の使用目的、内容物によって最適な形状、構造が検討されており、中栓の性能が容器の使い勝手を決定すると言っても過言ではない。
【０００３】
容器の内容物がなくなった時点で、別の詰替え容器から内容物を補充しようとする場合、従来は、容器の中栓を一旦取り外して詰替え操作を行うのが一般的であった。しかし内容物が液体でしかも素手で触れたくないようなものの場合、中栓を取り外す詰替え操作は煩わしいものとなる。
【０００４】
特許文献１に記載された中栓は、白髪染めに用いる２種類の薬剤を混合するための容器に用いる中栓である。白髪染めは素手で触れることが好ましくない内容物であるため、混合操作は保護手袋を着用して行われることが要請されている。このため手袋を着用していても誤りなく操作が行えるように、２種類の薬剤が入った容器を結合するに当たって、ねじ込み等の煩雑な操作を避け、第１の容器を第２の容器の中栓に押し込むだけの操作で結合できるようにしたものである。この中栓は、シリコンゴムや低密度ポリエチレン等の可撓性の材料で構成され、中央部に放射状に設けた、例えば十字状の切れ目を形成したものである。
【０００５】
このような可撓性の材料で構成された蓋は、以前から分析用容器などにおいても一般的に用いられていた。特許文献２に記載された分析用容器の密栓は、試験管のような容器に使用する密栓であって、弾性材料で構成され、中央部に放射状に設けられたスリットが形成されており、通常は密閉しているが、管状部材を挿入することによってスリットが開き試料の注入・取出しが短時間で容易に行えるものである。
【０００６】
一方、芳香剤や消臭剤等の容器においては、中栓に内溶液を吸い上げて空気中に揮散させるための芯材等がセットされているため、詰替え操作に当たっては、一旦芯材ごと中栓を外して液を補充せざるを得ず、特許文献１、２に開示されたような方法を用いることができなかった。特許文献３に記載された芳香発散装置は、このような容器の典型的な例である。芳香剤や消臭剤は、人が直接触れてもさほどの害はないものであるが、指先に付着すれば、強い香りが染みついたりして好ましくない場合もある。
【先行技術文献】
【特許文献】
【０００７】
【特許文献１】実開平5-22352号公報
【特許文献２】特開昭59-10349号公報
【特許文献３】特開平5-277172号公報
【発明の概要】
【発明が解決しようとする課題】
【０００８】
本発明の解決しようとする課題は、芳香剤や消臭剤の容器のように、中栓の中央部に芯材などの部材を取り付けなければならない場合であっても、中栓を取り外すことなく詰替え操作が可能な新規な構造をもった中栓を備えた容器を提案するものである。
【課題を解決するための手段】
【０００９】
上記の課題を解決するための手段として、請求項１に記載の発明は、容器本体と中栓と外蓋を少なくとも有する容器であって、中栓は容器本体の口部に嵌合するフランジ部と、フランジ部から漏斗状に陥没する壁面と、壁面の中心部に設けられ、内容液を吸い上げる吸い上げ芯を保持する吸い上げ芯固定筒を有し、前記壁面は、複数のスリットを有し、スリットは常時は閉じており、詰替え容器の円筒状の先端が挿入された時は、開くことを特徴とする中栓付容器である。
【００１０】
また、請求項２に記載の発明は、容器本体と中栓と中栓カバーと外蓋を少なくとも有する容器であって、中栓は容器本体の口部に嵌合するフランジ部と、フランジ部から円筒状に陥没する壁面と、壁面の中心部に設けられ、内容液を吸い上げる吸い上げ芯を保持する吸い上げ芯固定筒を有し、前記壁面は、複数の貫通孔を有し、貫通孔は、常時はスリットを有する漏斗状の中栓カバーによって塞がれており、該スリットは、詰替え容器の円筒状の先端が挿入された時は、開くことを特徴とする中栓付容器である。
【００１１】
また、請求項３に記載の発明は、前記吸い上げ芯固定筒に保持された吸い上げ芯と、吸い上げ芯によって吸い上げられた内容液を空気中に拡散させる拡散パッドと、拡散パッドを保持する化粧蓋を有することを特徴とする請求項１または２に記載の中栓付容器である。
【発明の効果】
【００１２】
請求項１に記載の中栓付容器は、容器本体と中栓と外蓋を少なくとも有する容器であって、中栓は容器本体の口部に嵌合するフランジ部と、フランジ部から漏斗状に陥没する壁面と、壁面の中心部に設けられ、内容液を吸い上げる吸い上げ芯を保持する吸い上げ芯固定筒を有し、前記壁面は、複数のスリットを有し、スリットは常時は閉じており、詰替え容器の円筒状の先端が挿入された時は、開くように構成したので、円筒状の先端を有する詰替え容器から内容物を補充する際に、中栓を取り除くことなく、詰替え操作を実施することができる。このため芳香剤などのように素手で触れることが好ましくないような内容物が収納された容器として好適に使用できる。
【００１３】
請求項２に記載の中栓付容器は、容器本体と中栓と中栓カバーと外蓋を少なくとも有し、中栓の壁面は、複数の貫通孔を有し、貫通孔は、常時はスリットを有する漏斗状の中栓カバーによって塞がれており、該スリットは、詰替え容器の円筒状の先端が挿入された時は、開くようにしたので、請求項１に記載の発明と同様の効果を有する他、中栓と中栓カバーを分離したことにより、それぞれの機能に最適な材料を選択することが可能となり、より安定して機能を発揮することができる。
【００１４】
請求項３に記載の中栓付容器は、吸い上げ芯と、吸い上げ芯によって吸い上げられた内容液を空気中に拡散させる拡散パッドと、拡散パッドを保持する化粧蓋を有するので、芳香剤や消臭剤の容器として好適に使用できる。
【図面の簡単な説明】
【００１５】
【図１】請求項１および請求項３に記載の発明に係る中栓付容器の一実施態様を示した斜視図である。
【図２】図１に示した中栓付容器に、詰替え容器から内溶液を補充する操作を示した斜視図である。
【図３】図１に示した中栓付容器の中栓と詰替え容器のノズルとの関係を示した斜視図である。
【図４】図３に示した中栓に、詰替え容器のノズルを挿入した状態を示した斜視説明図である。
【図５】請求項２に記載の中栓付容器の中栓と中栓カバーの関係を示した斜視図である。
【図６】図５に示した中栓と中栓カバーの、詰替え操作時における状態を示した斜視説明図である。
【図７】請求項２に記載の中栓付容器に、詰替え容器から内溶液を補充する操作を示した斜視図である
【発明を実施するための形態】
【００１６】
以下図面を参照しながら、本発明に係る中栓付容器について詳細に説明する。
図１は、請求項１および請求項３に記載の発明に係る中栓付容器の一実施態様を示した斜視図であり、芳香剤の容器である。本発明に係る中栓付容器１０は、容器本体１と中栓２と外蓋３を少なくとも有する容器であり、中栓２には、芳香剤を毛細管現象によって吸い上げる吸い上げ芯１１が保持されている。始めて使用する場合には、外蓋３を取り除き、化粧蓋１２を容器本体１に被せる。化粧蓋１２には、拡散パッド１３が設置されており、拡散蓋１４を開くことにより、吸い上げ芯１１によって吸い上げられた芳香剤が拡散パッド１３に浸み込み、外気に拡散する。
【００１７】
特に図示はしないが、吸い上げ芯１１の先端が拡散パッド１３の役割を担う場合もあり、その場合には、化粧蓋１２や拡散パッド１３は不要である。
【００１８】
図２は、図１に示した中栓付容器１０に、詰替え容器２０から内溶液を補充する操作を示した斜視図である。詰替え容器２０は、中栓付容器１０の中栓２に適合する円筒状のノズル２１を備えている。詰替え操作に当たっては、詰替え容器２０を手２４で保持し、押し込み方向２２に押し込むことによって、詰替え液が２３のように流れ込む。この時、中栓２や、中栓２に保持された吸い上げ芯１１は、取り外す必要がなく、取り付けたままの状態で詰替え操作が可能である。この操作においては、芳香剤が手に付着することもなく、従って素手でも十分に作業が可能である。
【００１９】
図３は、図１に示した中栓付容器１０の中栓２と詰替え容器２０のノズル２１との関係を示した斜視図である。中栓２は容器本体の口部に嵌合するフランジ部４と、フランジ部４から漏斗状に陥没する壁面５と、壁面５の中心部に設けられ、内容液を吸い上げる吸い上げ芯１１を保持する吸い上げ芯固定筒６を有し、壁面５は、複数のスリット７を有している。スリット７は常時は閉じており、詰替え容器２０の円筒状の先端が挿入された時は、自動的に開くことを特徴とする。
【００２０】
図４は、図３に示した中栓２に詰替え容器２０のノズル２１を挿入した状態を示した斜視説明図である。ノズル２１が押し込み方向２２に押し込まれると、中栓２のスリット７が開いて、この隙間から２３のように詰替え液が容器本体に流れ込む。詰替え容器２０のノズル２１は、中栓２の漏斗状の壁面５に押し込まれることにより、スリット７が開くように寸法を決めてある。また詰替え容器２０は、逆さにした状態でも内容液が流出しないように、ノズル２１の内部に弁が設けられていることが好ましい。この弁は、中栓２に挿入された時に、吸い上げ芯１１によって開かれる。
【００２１】
中栓２の材質としては、可撓性があり、内容液に冒されないものであることが必要である。従って内溶液の成分によって選択される。例としては、低密度ポリエチレン樹脂（Ｌ
ＤＰＥ）、直鎖状低密度ポリエチレン樹脂（ＬＬＤＰＥ）、中密度ポリエチレン樹脂（ＭＤＰＥ）、高密度ポリエチレン樹脂（ＨＤＰＥ）、ポリエステル樹脂、ＡＢＳ樹脂、ナイロン樹脂、ウレタン樹脂、オレフィン系エラストマー、ウレタン系エレストマー、各種合成ゴム、シリコンゴムなどが挙げられる。
【００２２】
図５は、請求項２に記載の中栓付容器の中栓２と中栓カバー９の関係を示した斜視図である。中栓２は、容器本体の口部に嵌合するフランジ部４と、フランジ部４から円筒状に陥没する壁面５と、壁面５の中心部に設けられ、内容液を吸い上げる吸い上げ芯１１を保持する吸い上げ芯固定筒６を有し、壁面５は、複数の貫通孔８を有し、貫通孔８は、常時はスリット７を有する漏斗状の中栓カバー９によって塞がれており、スリット７は、詰替え容器の円筒状の先端が挿入された時は、開くことを特徴とする。貫通孔８が複数に分かれているため、吸い上げ芯固定筒６と壁面５とは、貫通孔８の無い部分で繋がっており、従って吸い上げ芯１１は、中栓２の中央部に保持される。
【００２３】
図６は、図５に示した中栓２と中栓カバー９の詰替え操作時における状態を示した斜視説明図である。図示しない詰替え容器のノズルが挿入されると、中栓カバー９のスリット７が開き、詰替え液が中栓２の貫通孔８を通って２３のように流れ込む。
【００２４】
請求項２に記載の中栓付容器においては、中栓２と中栓カバー９とを備えたことにより、中栓２には吸い上げ芯１１を保持する役割を主に担わせ、中栓カバー９にはスリット７の開閉機能を主に担わせることが可能となる。このように役割分担ができるため、それぞれに最も最適な材質を選択することが可能となる。
【００２５】
従って、中栓２としては、吸い上げ芯１１を確実に保持し得る丈夫な材質を、また中栓カバー９としては、スリット７の開閉がスムーズにできる柔軟な材質を選択することができる。前者の例としては低密度ポリエチレン樹脂、中密度ポリエチレン樹脂、高密度ポリエチレン樹脂、ポリプロピレン樹脂、ポリエステル樹脂、スチレン樹脂、ＡＢＳ樹脂、ナイロン樹脂、アクリル樹脂などの硬質樹脂が挙げられる。後者の例としては、低密度ポリエチレン樹脂、直鎖状低密度ポリエチレン樹脂（ＬＬＤＰＥ）、オレフィン系エラストマー、ウレタン系エラストマー、各種合成ゴム、シリコンゴム等が挙げられる。これらの材料は、いずれも内容液の成分に応じて、これに冒されないものを選択する
【００２６】
図７は、請求項２に記載の中栓付容器に、詰替え容器から内溶液を補充する操作を示した斜視図である。基本的な操作は、請求項１に記載の中栓付容器の場合と同様であるが、中栓カバー９として、より柔軟な材料を使用することができるため、詰替え操作に当たっては、詰替え容器２０のノズル２１を強い力で押し込む必要がなく詰替え作業性が良好となる。
【符号の説明】
【００２７】
１・・・容器本体
２・・・中栓
３・・・外蓋
４・・・フランジ部
５・・・壁面
６・・・吸い上げ芯固定筒
７・・・スリット
８・・・貫通孔
９・・・中栓カバー
１０・・・中栓付容器
１１・・・吸い上げ芯
１２・・・化粧蓋
１３・・・拡散パッド
１４・・・拡散蓋
２０・・・詰替え容器
２１・・・ノズル
２２・・・押し込み方向
２３・・・詰替え液の流れ
２４・・・手
【図１】
2011201582.tif 000003
【図２】
2011201582.tif 000004
【図３】
2011201582.tif 000005
【図４】
2011201582.tif 000006
【図５】
2011201582.tif 000007
【図６】
2011201582.tif 000008
【図７】
2011201582.tif 000009